(57)【要約】ポリマー材料から一部品として製造され、履物のシェル（１）の上側部（３）は、前側で長手方向分離線（５）とユーザーの踵の反対側に設けられた横方向のスリットとによって２つの対のフラップ（６Ａ、７Ａ；６Ｂ、７Ｂ）に分けられている。２つの取外し可能なインサート（１１，１２）が設けられ、これらはシェル（１）とは異なるポリマー材料を用いて製造されてもよく、前記フラップ（６Ａ、７Ａ；６Ｂ、７Ｂ）の外表面および内表面に干渉するようにデザインされている部分（１３、１５；１４、１６）を有し、且つ、横方向のスリットの２つのセクション（８Ａ、８Ｂ）によって保持されるようにデザインされている相互連結部（１７、１８）を有している。用途：スキーブーツ、スケート用ブーツおよび安全履物等。利点：（例えば、水および雪の）ブーツ内への浸入なく、ブーツのより効率的な製造。
2004512886.tif 000002
【特許請求の範囲】
【請求項１】
ポリマー材料から一部品として製造されたシェル（１）であって、ソール（２）と、ヒンジ止めされる外側レッグピースを有する上側部（３）であって、ブーツの前側で長手方向中心面に平行な分離線（５）と、ユーザーの踵の反対側で前記分離線（５）の２つの側に２つのセクション（８Ａ、８Ｂ）を有するスリットとを有し、シェル（１）の外方で第１の対のフラップ（６Ａ、７Ａ）に、且つシェルの内方で第２の対のフラップ（６Ｂ、７Ｂ）に分けられている上側部（３）とを備えるシェル（１）、
前記横方向のスリットの領域でシェル（１）に施されたシール手段（１１，１２）を有し、
前記シール手段（１１，１２）は、取外し可能なインサートであって、
該インサートは、シェル（１）の２つの側で、前記対のフラップ（６Ａ、７Ａ；６Ｂ、７Ｂ）の外表面および内表面の両方と干渉するようにデザインされた一対の形状付けられたフランジ（１３、１５；１４、１６）と、
前記横方向スリットの２つのセクション（８Ａ、８Ｂ）によって保持されるようにデザインされたそれぞれの相互連結部（１７、１８）と
を備えることを特徴とする履物。
【請求項２】
前記インサート（１１，１２）の各々は、軟らかく弾性のあるポリマー材料から射出成型により一部品として製造されていることを特徴とする請求項１に記載の履物。
【請求項３】
シェル（１）およびインサート（１１，１２）は、互いに異なるタイプのポリマー材料を用いて製造されていることを特徴とする請求項２に記載の履物。
【請求項４】
シェル（１）およびインサート（１１，１２）は、同じタイプのポリマー材料を用いて製造されていることを特徴とする請求項２に記載の履物。
【請求項５】
インサート（１１，１２）は、それらのフランジ（１３、１４、１５、１６）の少なくとも１つを貫通するリベットまたは他の取外し可能な固定手段によって、シェル（１）に固定されていることを特徴とする請求項１乃至４のいずれかに記載の履物。
【請求項６】
インサート（１１，１２）の領域で、シェル（１）の前記上側部（３）の前記対のフラップ（６Ａ、７Ａおよび６Ｂ、７Ｂ）の内表面および／または外表面は、前記インサート（１１，１２）に係合するに適した座を有することを特徴とする請求項１乃至５のいずれかに記載の履物。
【発明の詳細な説明】
【０００１】
本発明は、ポリマー材料の射出成型により一部品として製造されたシェルを有する履物に関する。本説明は滑降用スキーブーツに言及するが、本発明は他のタイプの履物、例えば、スケート用ブーツまたは作業用（安全）ブーツにもあてはまることが理解される。
【０００２】
周知のように、この種のブーツでは、シェルは、一部品として、硬いソールとユーザーの踵の上で上方に延びる２つのより軟らかい側壁部とを備えている。ブーツは、他の構造的および機能的構成部品、特に、側壁部にヒンジ付けられた外側レッグピースにより完成されている。足部の導入を許容するために、シェルは、ソールの上方で長手方向（垂直）の分離線により２つのフラップに分けられ、該フラップはブーツの最上部において相当の長さに亘り重なり合っている。
【０００３】
上方からの足部の導入を容易とし、シェルの内表面を前記足部の甲に適合させるという二重の目的のために、本出願人は、長手方向の中心面に関して横向きであり、ユーザーの踵の反対側に位置され、２つの前記フラップの各々を制限された移動の可能性を備える２つの部分に分けるスリットを有するシェルを数年に亘り考案してきた。米国特許第４，９７４，３４６号参照。この方法では、上側のフラップの各々はレッグピースの対応するフラップに取付けられて残っている。ユーザーの足へ過剰な圧力をかけることなく、雪または水のブーツ内への浸入を最小にするために２つの舌片体が用いられ、前記舌片体は、スリットの領域においてシェルの曲がり形態に追従するように形状付けられている。舌片体には、スリットの長さに等しく一部品として外側に向かって突出する横方向リブが設けられている。シェルの内側の舌片体を、工業的規模で、上側の２つのフラップ（すなわち、スリットの下方）またはレッグピースの２つのフラップ（すなわち、スリットの上方）のいずれかにより正確に固定するために、熱溶着プロセスが用いられている。
【０００４】
ユーザーに、より大きく評価されているブーツの少なからぬ利点とは対照的に、この解法は、舌片体の固定のための熱溶着プロセスにまさに関連する、ブーツ製造者にとっては些細ではない技術的欠点を含んでいる。すなわち、
このプロセスは、ブーツの他の組立ステップと調和しない特別な生産ラインで実行されねばならないこと、
上述のシェルのフラップに小さなクラックが形成される惧れがあり、このクラックは、繰り返しの使用に伴いブーツが使用不能になるほど、より大きく成長し得ること、
それは、ポリマー材料の全てのタイプ、特に、比較的廉価で良好な特性を保証するポリプロピレンと共には使用され得ないことである。
【０００５】
シェルのフラップへの舌片体の付着力が弱いせいで、ブーツの繰り返しの使用の結果、シェルの内部への雪または水の幾らかの浸入が生ずる場合があり、ユーザーの明らかな失望となる。
【０００６】
ユーザーに対する満足を保証し、且つ、製造者に対し前記欠点を生じさせない信頼できるブーツを提供することが望ましく、これは、実際、本発明の主たる目的を形成している。
【０００７】
請求された特徴を備えるブーツは、添付の図面に示された実施の形態の非限定的説明からより明らかになるように、この目的および他の目的を達成することができる。
【０００８】
図１乃至４を参照するに、射出成型によりポリマー材料から作られている、スキーブーツのシェル１は、硬いソール２と、ユーザーの踵の上にある距離延びているやや硬い上側部３とからなる。簡明化のため、および本発明に直接に関係しないので、上側部３にヒンジ止めされるレッグピースおよび特に軟らかい材料を用いて別体に製作されるインナーシューのようなブーツの他の主要部品は示されていない。
【０００９】
シェル１の前側では、ブーツの長手方向中心面に平行な分離線５が前記上側部３を内方部と外方部とに分けている。同一出願人名の上述の米国特許第４，９７４，３４６号のように、シェル１の同じ上側部３は、それに形成され、その曲がりに従い、ユーザーの踵の反対側で分離線５に関して横方向に延びるスリットを有している。前記スリットは、シェル１の外方で前記上側部３をフラップ６Ａおよび７Ａの第１の対に分けている第１セクション８Ａと、内方で前記上側部３をフラップ６Ｂおよび７Ｂの第２の対に分けている第２セクション８Ｂとからなっている。図から判るように、フラップ６Ａおよび６Ｂは下方位置に配置され水平に関して僅かに傾けられており、一方、フラップ７Ａおよび７Ｂは上方位置に配置されほぼ垂直である。スリットは、フラップ６Ａおよび７Ａ、並びにフラップ６Ｂおよび７Ｂが、足部のブーツ内への導入を容易にするために、相互の相対的移動の可能性を有して一緒に合わされるのを保証する。
【００１０】
本発明の主要な特徴によれば、雪または水のブーツ内への浸入は、シェル１の前記上側部３に連結され、前記横向きのスリットの下方および上方の両方に、且つ、内方および外方の両方に延びるようにデザインされている、一対の取外し可能なインサート１１および１２によって防止される。
【００１１】
より正確には、インサート１１および１２は、それぞれ、より大きな幅のフランジ１３および１４と、より小さな幅のフランジ１５および１６と、相互連結部１７および１８とからなる。これらの部品の形状および寸法のおかげで、インサート１１および１２は、シェル１の長手方向および横方向の両方の曲がり（従って、ユーザーの踵と反対側の足の甲の曲がり）に追随する。事実、フランジ１３と１５、および１４と１６は、それぞれ、フラップ６Ａ、７Ａ、およびフラップ６Ｂ、７Ｂ（これらの表面には適切な座がこの目的のために設けられている）に密接して止まるようにデザインされ、一方、相互連結部１７および１８は、それぞれ、前記スリットの外方のセクション８Ａの内部および内方のセクション８Ｂの内部に保持されるようにデザインされている。図５および６を見よ。
【００１２】
図３乃至６に示されるように、インサート１１および１２は、上に説明された先行技術による舌片体の場合の内表面のみではなく、シェル１の外表面および内表面の両方に干渉する形態で延在している。さらに、前記インサートの両フランジは、ブーツの長手方向中心面に関して横方向に、横方向スリットの対応するセクション８Ａおよび８Ｂの全てを覆うのみならず、長手方向の分離線５を越えて延在するような幅を有している。図３を見よ。このことは全て、水および雪がシェル１の内部に浸入するのに対抗する完全なシールを保証している。
【００１３】
本発明の重要な特徴によれば、インサート１１および１２の各々は射出成型により、軟らかく弾性のある材料から一部品として製造されている。
【００１４】
ブーツの信頼性を向上させるために、インサート１１および１２は、それらのフランジの少なくとも１つを貫通し、且つ、必要ならばいつでも取り外され得る、例えば、リベットや他の固定装置（不図示）によりシェル１に固定されている。
【００１５】
本発明によりもたらされる利点は下記に要約される。
・ブーツによりもたらされる雪および水に対するシール性は、足部の導入の容易性および前記足部へのシェルの付着性に悪影響を与えることなく極めて良好である。
・インサートは、シェルと独立して製造され得る。
・シェルへのインサートの組み付けステップは、いかなる場合にもブーツの生産サイクルと完全に適合する。
・インサートは、多くのポリマー材料のタイプ、またシェルが作られている材料とは全く異なる材料を用いて作成され得、熱溶着プロセスに伴う上述の欠点がいずれも存しない。従って、ブーツの製造者は、技術的およびコストに関連する観点から好ましい特性を有する前記シェルのためにポリプロピレンを用いることが可能である。
・有効寿命の最後にブーツが解体されるとき、インサートは、原材料の環境に優しいリサイクルに先立つ処理により、簡単で廉価な方法でシェルから取外され得る。
【図面の簡単な説明】
【図１】
本発明による、スキーブーツの内方から見たシェルの概略側面図である。
【図２】
ブーツの外方から見た概略側面図である。
【図３】
図２において、円で囲まれた細部の拡大された三次元図である。
【図４】
図２において、ＩＶ−ＩＶ線に沿って部分的に断面された前記ブーツのシェルの上方からの概略図である。
【図５】
図２において、Ｖ−Ｖ線に沿う部分的垂直断面である。
【図６】
図１において、ＶＩ−ＶＩ線に沿う部分的垂直断面である。
【図１】
2004512886.tif 000003
【図２】
2004512886.tif 000004
【図３】
2004512886.tif 000005
【図４】
2004512886.tif 000006
【図５】
2004512886.tif 000007
【図６】
2004512886.tif 000008
【国際公開パンフレット】
2004512886.tif 000009
2004512886.tif 000010
2004512886.tif 000011
2004512886.tif 000012
2004512886.tif 000013
2004512886.tif 000014
2004512886.tif 000015
2004512886.tif 000016
2004512886.tif 000017
2004512886.tif 000018
2004512886.tif 000019
2004512886.tif 000020
【国際調査報告】
2004512886.tif 000021
2004512886.tif 000022